(57)【要約】【課題】オフセット輪転印刷機を用いて印刷された印刷用紙の伸縮量を印刷中にオンラインで測定できる装置およびそれを用いた印刷用紙の伸縮防止方法を提供する。【解決手段】オフセット輪転印刷機を用いて印刷された印刷用紙の伸縮量測定装置において、該オフセット輪転印刷機における印刷部下流側には、印刷された印刷用紙（以下、印刷用紙と略す）の幅方向の寸法を測定する第１センサを、および、該印刷機における乾燥部下流側には、乾燥後の該印刷用紙の幅方向の寸法を測定する第２センサと、該第１センサと該第２センサで測定された各寸法を入力し、その寸法差から伸縮量を演算する演算装置と、演算されたデータを表示する表示装置とを付設してなることを特徴とするオフセット輪転印刷機における印刷用紙の伸縮量測定装置。印刷用紙の幅方向の寸法を測定するセンサが、画像センサ、レーザー寸法測定器から選ばれるセンサであることを特徴とする。【選択図】  図１
2005186312.tif 000002
【特許請求の範囲】
【請求項１】
オフセット輪転印刷機を用いて印刷された印刷用紙の伸縮量測定装置において、該オフセット輪転印刷機における印刷部下流側には、印刷された印刷用紙（以下、印刷用紙と略す）の幅方向の寸法を測定する第１センサを、および、該印刷機における乾燥部下流側には、乾燥後の該印刷用紙の幅方向の寸法を測定する第２センサと、該第１センサと該第２センサで測定された各寸法を入力し、その寸法差から伸縮量を演算する演算装置と、演算されたデータを表示する表示装置とを付設してなることを特徴とするオフセット輪転印刷機における印刷用紙の伸縮量測定装置。
【請求項２】
印刷用紙の幅方向の寸法を測定するセンサが、画像センサまたはレーザー寸法測定器であることを特徴とする請求項１記載のオフセット輪転印刷機における印刷用紙の伸縮量測定装置。
【請求項３】
前記請求項１記載のオフセット輪転印刷機における印刷用紙の伸縮量測定装置を用い、乾燥前後の印刷用紙の幅方向の寸法を測定し、該寸法から該印刷用紙の伸縮量を演算したデータに基づいて印刷用紙の伸縮が検出された際には、該オフセット輪転印刷機にフィードバックして任意の印刷条件に制御することを特徴とするオフセット輪転印刷機における印刷用紙の伸縮量測定装置を用いた伸縮防止方法。
【発明の詳細な説明】
【技術分野】
【０００１】
本発明は、オフセット輪転印刷機を用いて印刷された印刷用紙の伸縮量を印刷中にオンラインで測定できる装置およびそれを用いた印刷用紙の伸縮防止方法に関するものである。
【背景技術】
【０００２】
オフセット輪転印刷機の印刷の流れと共に、印刷用紙の伸縮の発生機構を図９を用いて説明する。図９は、従来におけるオフセット輪転印刷機の全体概略図である。図９において、オフセット輪転印刷機の印刷の流れを説明すると、給紙部１２から繰り出した巻き取り紙１１を印刷部１３に導いてここで印刷し、次に乾燥部１４に導いてここで加熱してインキを乾燥させ、次いで冷却部１５に導いてここで常温まで冷却しインキを紙面に定着させ、次いで折り機部１６に導いてここで所定形状の印刷物にする、という流れである。
【０００３】
このオフセット輪転印刷機の印刷の流れの中で、図１０の伸縮が発生した印刷用紙２２に示すような印刷用紙が伸縮する現象が発生する機構としては、図９の乾燥部１４で巻き取り紙１１を急速に乾燥することにより、印刷用紙の水分が蒸発しパルプ繊維が縮むために発生する。
【０００４】
従来より、印刷用紙の伸縮を判断する方法は目視評価であり、伸縮量を目視評価した後、その評価に基づいて印刷機の速度、乾燥装置、再加湿装置などの設定を手動で調整し、印刷用紙の伸縮を防止させている。
【０００５】
また、目視評価のような曖昧な評価では無く、ＣＣＤラインセンサカメラにより印刷画像を撮影し、該印刷画像の情報から印刷用紙の伸縮などの欠陥検査を行い、検査結果が任意の許容量以上の印刷用紙の伸縮が検出された際には、点灯表示やエラー音の発生、さらにはマーキングなどの警告を行う装置を使用するなどの方法が採用されてきた（例えば、特許文献１参照。）。
【０００６】
しかしながら、印刷用紙の伸縮をより効果的に測定、防止するためには、印刷画像の濃淡や汚れなどの影響により、測定データが振れやすい印刷画像の情報から印刷用紙の伸縮量を演算、数値化するのでは無く、印刷用紙自体の伸縮量を測定できるセンサを具備した装置が有効と思われるが、未だそのような装置が無かった。
【０００７】
さらに、印刷用紙の伸縮量を演算したデータに基づいて、任意の許容量以上の伸縮量が検出された際には、警告表示のみでは無く、オフセット輪転印刷機にフィードバックして任意の印刷条件を制御する方法が有効と思われるのだが、今まではそのような装置や方法が無かった。
【特許文献１】特開２００２−３４２７４５号公報
【発明の開示】
【発明が解決しようとする課題】
【０００８】
本発明の目的は、上記の問題を解決することにあり、オフセット輪転印刷機を用いて印刷された印刷用紙の伸縮量を印刷中にオンラインで測定できる装置であると共に、その装置を用いて印刷用紙の伸縮を防止する印刷用紙の伸縮量測定装置およびそれを用いた印刷用紙の伸縮防止方法を提供するものである。
【課題を解決するための手段】
【０００９】
本発明者は上記に鑑み鋭意研究した結果、オフセット輪転印刷機を用いて印刷された印刷用紙の伸縮量測定装置およびそれを用いた印刷用紙の伸縮防止方法を発明するに至った。
【００１０】
すなわち、オフセット輪転印刷機を用いて印刷された印刷用紙の伸縮量測定装置およびそれを用いた印刷用紙の伸縮防止方法は、オフセット輪転印刷機を用いて印刷された印刷用紙の伸縮量測定装置において、該オフセット輪転印刷機における印刷部下流側には、印刷された印刷用紙（以下、印刷用紙と略す）の幅方向の寸法を測定する第１センサを、および、該印刷機における乾燥部下流側には、乾燥後の該印刷用紙の幅方向の寸法を測定する第２センサと、該第１センサと該第２センサで測定された各寸法を入力し、その寸法差から伸縮量を演算する演算装置と、演算されたデータを表示する表示装置とを付設してなることを特徴とするものである。
【００１１】
本発明において、寸法を測定するセンサが、画像センサまたはレーザー寸法測定器であることを特徴とする。
【００１２】
さらに、オフセット輪転印刷機における印刷用紙の伸縮量測定装置を用いた伸縮防止方法は、上記発明によるオフセット輪転印刷機における印刷用紙の伸縮量測定装置を用い、乾燥前後の印刷用紙の幅方向の寸法を測定し、該寸法から該印刷用紙の伸縮量を演算したデータに基づいて印刷用紙の伸縮が検出された際には、該オフセット輪転印刷機にフィードバックして任意の印刷条件に制御することを特徴とするものである。
【発明の効果】
【００１３】
以上説明したように、本発明のオフセット輪転印刷機における印刷用紙の伸縮量測定装置およびそれを用いた印刷用紙の伸縮防止方法により、オフセット輪転印刷機を用いて印刷された印刷用紙の伸縮量を印刷中にオンラインで測定できると共に、印刷用紙の伸縮を効果的に防止できる。
【発明を実施するための最良の形態】
【００１４】
以下、本発明のオフセット輪転印刷機を用いて印刷された印刷用紙の伸縮量測定装置およびそれを用いた印刷用紙の伸縮防止方法について、図面を用いて詳細に説明する。
【００１５】
図１および図２は、本発明の画像センサを使用した印刷用紙の伸縮量測定装置を示す構成図である。該印刷用紙の伸縮量測定装置は、図１の第１画像センサ１により乾燥前の印刷用紙３を撮影、図２の第２画像センサ６により乾燥後の印刷用紙３を撮影し、それぞれの画像センサで撮影された画像から印刷用紙自体の幅方向の寸法を演算装置７により演算、数値化し、演算されたデータを表示装置８で表示する機能を具備しているものである。
【００１６】
具体的には、図３の印刷用紙の伸縮量測定装置１０に示すように、オフセット印刷機の、例えば、印刷部下流側に第１画像センサを、乾燥部下流側に第２画像センサを位置させ、それぞれ演算、数値化したデータを、例えば、印刷部下流側のデータから乾燥部下流側のデータで除すことにより、印刷用紙の伸縮量が算出される。
【００１７】
図２では、印刷部と乾燥部のそれぞれ下流側における印刷用紙の幅方向の寸法、および伸縮量の数値データを表示装置８で表示した態様を示したが、図４に示すように、表示装置８において撮影画像のみ表示、さらには撮影画像と印刷用紙の幅方向の寸法および伸縮量の数値データを併せて表示（図示していない）することにより、印刷用紙の状態を視覚的にも確認できる態様も好ましい。
【００１８】
図５および図６は、本発明のレーザー寸法測定器を使用した印刷用紙の伸縮量測定装置を示す構成図である。該印刷用紙の伸縮量測定装置は、図５の第１レーザー寸法測定器１７により乾燥前の印刷用紙３の両端位置を算出、図６の第２レーザー寸法測定器１９により乾燥後の印刷用紙３の両端位置を算出し、それぞれ該算出値から印刷用紙自体の幅方向の寸法を演算装置７により演算、数値化し、演算されたデータを表示装置８で表示する機能を具備しているものである。
【００１９】
具体的には、図３の印刷用紙の伸縮量測定装置１０に示すように、オフセット印刷機の、例えば、印刷部下流側に第１レーザー寸法測定器を、乾燥部下流側に第２レーザー寸法測定器を位置させ、それぞれ演算、数値化したデータを、例えば、印刷部下流側のデータから乾燥部下流側のデータで除すことにより、印刷用紙の伸縮量が算出される。
【００２０】
なお、図７に示すように、印刷用紙の伸縮量測定装置と共に紙面含水率計２０を設け、印刷用紙の伸縮量と水分値の数値データを表示装置８で併せて表示することにより、該伸縮量と水分値の相関性を把握することができる。印刷用紙の伸縮には、印刷用紙の水分値の変化が深く関与しているため、印刷用紙の種類や厚みによる相関性を把握することは印刷用紙の伸縮防止のためには有効である。
【００２１】
例えば、印刷用紙の伸縮量と水分値の数値データから検量線を作成し、該検量線に基づき任意の許容量を設定してオフセット輪転印刷機の任意の印刷条件を制御すれば、より効率的に印刷用紙の伸縮防止が可能となる。
【００２２】
次に、本発明における印刷用紙の伸縮量測定装置を用いた印刷用紙の伸縮防止方法について、図８により説明する。
【００２３】
図８は、本発明における印刷用紙の伸縮量測定装置のデータに基づいて印刷条件を制御するためのフローチャートである。図８では、本発明の印刷用紙の伸縮量測定装置から得られた印刷用紙の伸縮量を演算、数値化したデータを元に、印刷用紙の伸縮を防止するためにオフセット輪転印刷機の諸設定を調整する方法および順序を示している。
【００２４】
ステップ１において、印刷用紙の伸縮量測定装置から得られた印刷用紙の幅方向における伸縮量の数値データとして、最大値、最小値、平均値、標準偏差などを算出することにより、数値的な印刷用紙の伸縮量レベルを把握する。
【００２５】
ステップ２において、ステップ１で得られた印刷用紙の伸縮量レベルが規定値内にあるかを判断し、規定値内ならばエンドへ、規定値外ならばステップ３の印刷機の設定へと進む。この行動は、印刷機各部設定後のステップ４、ステップ６でも同様に行われる。ただし、印刷用紙の伸縮量レベルは、印刷用紙の種類や厚みなどで変わることや、要求される印刷品質レベルでその都度変わるため、その都度規定値を定めることが好ましい。
【００２６】
ステップ３では、印刷用紙の伸縮を防止するため、印刷速度、乾燥温度の調整を行う。印刷速度、乾燥温度を下げることによって、印刷用紙からの水分の蒸発が抑えられるため、印刷用紙の伸縮の防止が望める。この行動によって、印刷用紙の伸縮量レベルが規定値内になったのかをステップ４で判断し、規定値内ならばエンドへ、規定値外ならばステップ５の印刷機の設定へと進む。
【００２７】
ステップ５では、印刷用紙の伸縮を防止するため、再加湿装置の使用、調整を行う。再加湿装置の使用、調整により、印刷用紙が乾燥装置を通過することによって蒸発した印刷用紙中の水分が回復するため、印刷用紙の伸縮の防止が望める。この行動によって、印刷用紙の伸縮量レベルが規定値内になったのかをステップ６で判断し、規定値内ならばエンドへ、規定値外ならばステップ１へ戻る。ただし、過度に調整を行うと、印刷品質を損ねるなど問題も出てくるため、ステップ６の時点で規定値外になってもエンドにすることや、ステップ１に戻るのでは無く、ステップ３、ステップ５の中で最適な調整を選ぶことも好ましい。
【００２８】
また、オフセット輪転印刷機によっては、再加湿装置が未設置など仕様が異なる場合や、印刷用紙の伸縮を防止させる方法、順序が異なる場合もあるため、その場合はこのフローチャートに限らず、個々のオフセット輪転印刷機の仕様にあった方法、順序で印刷用紙の伸縮を防止させるのが好ましい。また、印刷用紙の伸縮量測定装置から得られた印刷用紙幅方向における伸縮量の数値データを元に、印刷用紙の伸縮を防止するために、オフセット輪転印刷機の諸設定を自動調整させることも好ましい。
【産業上の利用可能性】
【００２９】
本発明は、オフセット輪転印刷における印刷用紙の品質管理に適用できるものである。
【図面の簡単な説明】
【００３０】
【図１】本発明の画像センサを使用した印刷用紙の伸縮量測定装置の第１画像センサ側の態様を示す構成図である。
【図２】本発明の画像センサを使用した印刷用紙の伸縮量測定装置の第２画像センサ側の態様を示す構成図である。
【図３】本発明における印刷用紙の伸縮量測定装置をオフセット輪転印刷機の印刷部と乾燥部のそれぞれ下流側に設置したオフセット輪転印刷機の全体概略図である。
【図４】本発明の画像センサを使用した印刷用紙の伸縮量測定装置の第２画像センサ側の態様を示す構成図である。
【図５】本発明のレーザー寸法測定器を使用した印刷用紙の伸縮量測定装置の第１レーザー寸法測定器側の態様を示す構成図である。
【図６】本発明のレーザー寸法測定器を使用した印刷用紙の伸縮量測定装置の第２レーザー寸法測定器側の態様を示す構成図である。
【図７】本発明の印刷用紙の伸縮量測定装置と共に紙面含水率計を設けた態様を示す構成図である。
【図８】本発明における印刷用紙の伸縮量測定装置のデータに基づいて印刷条件を制御するためのフローチャートである。
【図９】従来におけるオフセット輪転印刷機の全体概略図である。
【図１０】伸縮が発生した印刷用紙の態様を示す斜視図である。
【符号の説明】
【００３１】
１  第１画像センサ
２  画像センサ撮影範囲
３  印刷用紙
４  印刷画像
５  アーチ
６  第２画像センサ
７  演算装置
８  表示装置
９  伸縮が発生した印刷画像
１０  印刷用紙の伸縮量測定装置
１１  巻き取り紙
１２  給紙部
１３  印刷部
１４  乾燥部
１５  冷却部
１６  折り機部
１７  第１レーザー寸法測定器
１８  レーザー照射範囲
１９  第２レーザー寸法測定器
２０  紙面含水率計
２１  伸縮前の印刷用紙
２２  伸縮が発生した印刷用紙
【図１】
2005186312.tif 000003
【図２】
2005186312.tif 000004
【図３】
2005186312.tif 000005
【図４】
2005186312.tif 000006
【図５】
2005186312.tif 000007
【図６】
2005186312.tif 000008
【図７】
2005186312.tif 000009
【図８】
2005186312.tif 000010
【図９】
2005186312.tif 000011
【図１０】
2005186312.tif 000012